(57)【要約】【課題】無線信号を受信しやすく、さらに簡易な構成で外部アンテナの断線を検出する受信装置を提供する。【解決手段】受信装置１は、基板２に取り付けられて無線信号を受信する内部アンテナ３と、基板２に設けられるメスコネクタ２３に取り付けられて無線信号を受信する外部アンテナ４と、基板２に設けられて内部アンテナ３及び外部アンテナ４を通じて受信した信号を復調するＵＨＦ処理回路２２と、基板２に設けられてメスコネクタ２３を介して外部アンテナ４へ電圧を印加する印加回路と、基板２に設けられて印加回路に印加される電圧又は電流に基づいて外部アンテナ４における断線の有無を検知するＣＰＵ２１と、を備え、内部アンテナ３は、印加回路の一部を構成すること。【選択図】図１
2015119398.tif 000002
【特許請求の範囲】
【請求項１】
基板に取り付けられて、無線信号を受信する内部アンテナと、
前記基板に設けられる接続部に取り付けられて、前記無線信号を受信する外部アンテナと、
前記基板に設けられて、前記内部アンテナ及び前記外部アンテナを通じて受信した前記無線信号を復調する復調部と、
前記基板に設けられて、前記接続部を介して前記外部アンテナへ電圧を印加する印加回路と、
前記基板に設けられて、前記印加回路に印加される電圧又は電流に基づいて前記外部アンテナにおける断線の有無を判断する断線検知部と、を備え、
前記内部アンテナは、前記印加回路の一部を構成する受信装置。
【請求項２】
請求項１に記載の受信装置において、
前記印加回路は、第１の経路とこれに並列接続される第２の経路とを備え、
前記第１の経路は、前記内部アンテナ及び第１の抵抗が直列接続された回路と前記外部アンテナ及び第２の抵抗が直列接続された回路とが前記接続部を介して直列接続されるとともに、前記内部アンテナと前記接続部との間がハイインピーダンスとなるように構成され、
前記第２の経路は、前記断線検知部を備えて構成される受信装置。
【請求項３】
請求項１に記載の受信装置において、
前記印加回路は、並列に設けられた第３の経路及び第４の経路と、これら第３の経路と第４の経路とを繋ぐ中間経路と、により構成され、前記第３の経路及び第４の経路に設けられる各抵抗が前記中間経路に電圧が印加されないように設定されたホイートストンブリッジ回路であって、
前記内部アンテナは前記中間経路に、前記外部アンテナは前記第３の経路及び第４の経路のどちらかにおける前記中間経路との接続点よりも下流側に、それぞれ設けられ、前記断線検知部は、前記中間経路に設けられる受信装置。
【請求項４】
請求項２に記載の受信装置において、
前記第１の経路は、前記内部アンテナと前記接続部との間に第３の抵抗が介在されてなる受信装置。
【請求項５】
請求項１〜４のうちいずれか一項に記載の受信装置において、
前記内部アンテナと前記復調部との間、及び前記外部アンテナと前記復調部との間に介在され、前記内部アンテナで受信した信号及び前記外部アンテナで受信した信号を合成する合成器を備える受信装置。
【請求項６】
請求項１〜４のうちいずれか一項に記載の受信装置において、
前記内部アンテナと前記復調部との間の接続と、前記外部アンテナと前記復調部との間の接続とを切り替えるスイッチを備える受信装置。
【発明の詳細な説明】
【技術分野】
【０００１】
本発明は、内部アンテナと外部アンテナとを有し、これら２つのアンテナを介して無線信号を受信する受信装置に関する。
【背景技術】
【０００２】
従来、受信装置は、無線信号を受信するアンテナと、アンテナと有線接続され当該アンテナが受信した信号から情報を取り出す処理部と、を備えている。このような受信装置においては、アンテナと処理部とを接続する信号線が断線した場合、処理部にはアンテナが受信した信号が入力されないので、受信装置として機能しない。そこで、多くの受信装置は、アンテナと処理部とを接続する信号線が断線した場合、これを検出する断線検出装置を備えている。
【０００３】
例えば、特許文献１に開示される断線検出装置は、抵抗を介してアンテナに直流を供給する供給回路と、供給回路に供給される電流の検出を通じて断線の有無を検出する検出部と、を備えている。供給回路に断線がない場合、供給回路は閉じているので、検出部は、供給回路に印加される電圧の値と当該回路に設けられる抵抗の値とから決まる電流を検出する。一方、供給回路に断線がある場合、供給回路は閉じていないので、供給回路には電流が流れない。従って、検出部は、電流を検出できない。このように、検出部は、供給回路に供給される電流の値から断線の有無を検出する。
【先行技術文献】
【特許文献】
【０００４】
【特許文献１】特開２０００−４９７１８号公報
【発明の概要】
【発明が解決しようとする課題】
【０００５】
ところで、信号線を介して伝送される信号は、伝送される距離が長ければ長いほど情報を取り出しにくくなることが知られている。このような信号の伝達ロスを抑制するため、アンテナと処理部との間を繋ぐ信号線は極力短くすることが好ましい。
【０００６】
一方、上述したような受信装置には、元々のアンテナの他にコネクタ等を介してアンテナを外付けして、複数のアンテナで無線信号を受信するものもある。このような受信装置では、先の断線検出装置と同様の構成を用いることにより、コネクタ外れや他の要因に基づく外部アンテナと処理部との断線を検出することができる。しかし、この場合、信号の伝達ロスを低減するために、外部アンテナが接続されるコネクタと処理部との間を繋ぐ信号線の長さを短くしようとすると、コネクタと検出部との間に処理部が位置するような位置関係の場合には、処理部を迂回するようにコネクタと検出部とを繋ぐ接続線を配設する必要がある。この結果、配線が複雑になるおそれがある。
【０００７】
本発明は、こうした実状に鑑みてなされたものであり、無線信号を受信しやすく、さらに簡易な構成で外部アンテナの断線を検出する受信装置を提供することにある。
【課題を解決するための手段】
【０００８】
上記課題を解決するために、受信装置は、基板に取り付けられて、無線信号を受信する内部アンテナと、前記基板に設けられる接続部に取り付けられて、前記無線信号を受信する外部アンテナと、前記基板に設けられて、前記内部アンテナ及び前記外部アンテナを通じて受信した前記信号を復調する復調部と、前記基板に設けられて、前記接続部を介して前記外部アンテナへ電圧を印加する印加回路と、前記基板に設けられて、前記印加回路に印加される電圧又は電流に基づいて前記外部アンテナにおける断線の有無を判断する断線検知部と、を備え、前記内部アンテナは、前記印加回路の一部を構成することを要旨とする。
【０００９】
この構成によれば、印加回路の一部を内部アンテナが構成するので、基板において接続部と検知部との間に復調部が位置する構成であっても、内部アンテナによって接続部と検知部との間を繋ぐことができる。このようにすれば、基板に復調部を迂回するように接続部と検知部との間を繋ぐ配線を設ける必要がない。この配線が必要ない分、基板の構成が簡素となる。このように、基板において、接続部、復調部、及び断線検知部を設ける位置の自由度が増す。従って、接続部と復調部との間を繋ぐ接続線を短くしやすい。これにより、接続線による信号のロスが抑制される。さらに、外部アンテナの断線を検出することもできる。
【００１０】
上記構成において、前記印加回路は、第１の経路とこれに並列接続される第２の経路とを備え、前記第１の経路は、前記内部アンテナ及び第１の抵抗が直列接続された回路と前記外部アンテナ及び第２の抵抗が直列接続された回路とが前記接続部を介して直列接続されて構成され、前記第２の経路は、前記断線検知部を備えて構成されることが好ましい。
【００１１】
この構成によれば、接続部と外部アンテナとが好適な接続状態、すなわち外部アンテナに断線がない場合であれば印加回路に電圧を印加すると内部アンテナと接続部との間はハイインピーダンスとされているので、外部アンテナが受信した信号は接続部から内部アンテナ側に流れにくく、電圧を印加したときに生じる直流は内部アンテナから接続部を介して外部アンテナ側に流すことができる。従って、断線検知部には、第１の抵抗と第２の抵抗との比に基づいた電圧が印加される。一方、外部アンテナに断線がある場合、第１の経路が閉じない。従って、第１の経路に印加される電圧が第２の経路に印加される分、断線検知部に印加される電圧が高くなる。このように、外部アンテナが断線している場合と断線していない場合とで、断線検知部に印加される電圧が異なるので、断線検知部は、印加される電圧を通じて外部アンテナの断線の有無を検出することができる。
【００１２】
上記構成において、前記印加回路は、並列に設けられた第３の経路及び第４の経路と、これら第３の経路と第４の経路とを繋ぐ中間経路と、により構成され、前記第３の経路及び第４の経路に設けられる各抵抗が前記中間経路に電圧が印加されないように設定されたホイートストンブリッジ回路であって、前記内部アンテナは前記中間経路に、前記外部アンテナは前記第３の経路及び第４の経路のどちらかにおける前記中間経路との接続点よりも下流側に、それぞれ設けられ、前記断線検知部は、前記中間経路に設けられることが好ましい。
【００１３】
この構成によれば、外部アンテナが断線していない場合には中間経路、すなわち内部アンテナに電圧が印加されない。一方、外部アンテナが断線している場合には中間経路、すなわち内部アンテナに電圧が印加される。このように、外部アンテナが断線している場合と断線していない場合とで、断線検知部に印加される電圧が異なるので、断線検知部は、印加される電圧を通じて外部アンテナの断線の有無を検出することができる。
【００１４】
また、外部アンテナが断線していない通常時、内部アンテナには電圧が印加されないので電流が流れない。これにより、内部アンテナにおけるマイグレーションの発生が抑制される。ひいては、印加回路の不具合が抑制される。
【００１５】
上記構成において、前記第１の経路は、前記内部アンテナと前記接続部との間に第３の抵抗が介在されてなることが好ましい。
この構成によれば、第３の抵抗を設けるという簡易な構成で内部アンテナと接続部との間をハイインピーダンスとすることができる。
【００１６】
上記構成において、前記内部アンテナと前記復調部との間、及び前記外部アンテナと前記復調部との間に介在され、前記内部アンテナで受信した信号及び前記外部アンテナで受信した信号を合成する合成器を備えることが好ましい。
【００１７】
この構成によれば、内部アンテナ及び外部アンテナのそれぞれで受信する信号の強度が弱くても復調部には、合成器によって合成された信号が入力される。これにより、復調部は、信号を復調しやすい。
【００１８】
上記構成において、前記内部アンテナと前記復調部との間の接続と、前記外部アンテナと前記復調部との間の接続とを切り替えるスイッチを備えることが好ましい。
この構成によれば、復調部は、受信した信号が内部アンテナで受信したものであるのか外部アンテナで受信したものであるのかを判定することができる。ひいては、受信した信号の送信元の方向や送信元の位置を推定することができる。
【発明の効果】
【００１９】
本発明の受信装置は、無線信号を受信しやすく、さらに簡易な構成で外部アンテナの断線を検出するという効果を有する。
【図面の簡単な説明】
【００２０】
【図１】第１の実施形態における受信装置の概略構成を示す斜視図。
【図２】図１の等価回路図。
【図３】第２の実施形態における受信装置の概略構成を示す斜視図。
【図４】図３の等価回路図。
【図５】別例を示すブロック図。
【発明を実施するための形態】
【００２１】
以下、受信装置の第１の実施形態を図面に従って説明する。
＜受信装置の構成＞
図１に示すように、受信装置１は、基板２と、内部アンテナ３と、外部アンテナ４と、を備えている。
【００２２】
内部アンテナ３は、ＵＨＦ（Ｕｌｔｒａ  Ｈｉｇｈ  Ｆｒｅｑｕｅｎｃｙ）帯の無線信号を受信するアンテナ本体３１と、当該アンテナ本体３１から基板２側に延びる２本の支持線３２，３３とを備えている。支持線３２，３３の先端部は、それぞれ基板２にはんだ付けされる。支持線３２は、はんだ付けによって後述の接続線２５，２６のそれぞれに接続される。支持線３３は、はんだ付けによって後述の接続線２７，２８のそれぞれに接続される。
【００２３】
外部アンテナ４は、ＵＨＦ帯の無線信号を受信するアンテナ本体４１と、当該アンテナ本体４１の一方の端部に接続線４４を介して接続されるオスコネクタ４２とを備えている。オスコネクタ４２は、後述のメスコネクタ２３に接続可能とされている。なお、アンテナ本体４１は、接続線４３に設けられる抵抗Ｒ４を介して接地されている。抵抗Ｒ４は、第２の抵抗に相当する。また、接続線４３は、オスコネクタ４２のシールドに接続されている。
【００２４】
基板２は、ＣＰＵ２１と、ＵＨＦ処理回路２２と、メスコネクタ２３と、電源２４と、接続線２５，２６，２７，２８，２９と、合成器３０と、を備えている。接続線２５は、抵抗Ｒ１を備え、電源２４と支持線３２との間を接続する。抵抗Ｒ１は、第１の抵抗に相当する。接続線２６は、抵抗Ｒ２を備え、ＣＰＵ２１と支持線３２との間を接続する。接続線２７は、抵抗Ｒ３を備え、メスコネクタ２３と支持線３３との間を接続する。抵抗Ｒ３は第３の抵抗に相当する。接続線２８は、合成器３０と支持線３３との間を接続する。接続線２９は、接続線２７における抵抗Ｒ３とメスコネクタ２３との間の部位と合成器３０との間を接続する。合成器３０は、ＵＨＦ処理回路２２に接続されている。合成器３０は、内部アンテナ３及び外部アンテナ４が受信した信号を合成し、その合成波をＵＨＦ処理回路２２に送る。なお、メスコネクタ２３のシールドは、接続線を介して接地されている。
【００２５】
ＣＰＵ２１は、外部アンテナ４との間の断線の有無を検出する。ＵＨＦ処理回路２２は、内部アンテナ３及び外部アンテナ４が受信した信号の合成波から情報を取り出す。メスコネクタ２３は、オスコネクタ４２と接続可能とされている。なお、ＣＰＵ２１は断線検知部に、ＵＨＦ処理回路２２は復調部に、メスコネクタ２３は接続部に、それぞれ相当する。電源２４は、電圧Ｖｄを印加する。
【００２６】
ここで、接続線２５、内部アンテナ３、接続線２７、メスコネクタ２３、及び外部アンテナ４が直列接続された経路が第１の経路に、接続線２６、及びＣＰＵ２１が直列接続された経路が第２の経路に、それぞれ相当する。また、接続線２５及び接続線２６は、支持線３２にそれぞれ接続されているので、第１の経路及び第２の経路は並列とされている。また、これら第１の経路及び第２の経路は、印加回路を構成する。
【００２７】
なお、基板２及び内部アンテナ３は、メスコネクタ２３が露出した状態で図示しないケースに収容されている。
＜受信装置の作用＞
次に、受信装置１の作用について説明する。なお、外部アンテナ４は、オスコネクタ４２とメスコネクタ２３との接続を通じて基板２に接続されているものとする。従って、オスコネクタ４２におけるＧＮＤ電位とメスコネクタ２３のＧＮＤ電位とが同じ電位となる。
【００２８】
図２に示すように、電源２４は、接続線２５、支持線３２、アンテナ本体３１、支持線３２、接続線２７、メスコネクタ２３、オスコネクタ４２、接続線４４、アンテナ本体４１、及び接続線４３を介して接地されている。また、電源２４は、接続線２５，２６を介してＣＰＵ２１に接続されている。従って、電源２４から供給される直流は、内部アンテナ３及び外部アンテナ４側と、ＣＰＵ２１側との２つの経路に供給される。このため、各経路には、各経路の抵抗比に基づいた電圧が印加される。
【００２９】
すなわち、電源２４から２つの経路に直流が供給されるとき、ＣＰＵ２１に印加される電圧ＶＩＮは、次の（式１）で示される。
ＶＩＮ＝（Ｒ３＋Ｒ４）×Ｖｄ／（Ｒ１＋Ｒ３＋Ｒ４）・・・（式１）
一方、外部アンテナ４が基板２から取り外されたり外部アンテナ４において断線が発生したりした場合には、先の２つの経路のうち外部アンテナ４側の経路が閉じないので、電源２４から供給される電流は、抵抗Ｒ１，Ｒ２を経てＣＰＵ２１に供給される。この場合、ＣＰＵ２１に印加される電圧ＶＩＮは、次の（式２）で示される。
【００３０】
ＶＩＮ＝Ｖｄ・・・（式２）
ＣＰＵ２１は、自身に印加される電圧ＶＩＮを監視することにより、外部アンテナ４が基板２から取り外されていること、又は外部アンテナ４において断線が発生していることを検出することができる。
【００３１】
なお、上述したように、内部アンテナ３を介して外部アンテナ４に電流を供給することにより、基板２において、メスコネクタ２３とＣＰＵ２１との間にＵＨＦ処理回路２２が位置する構成であっても、従来必要であったＵＨＦ処理回路２２を迂回するようにメスコネクタ２３とＣＰＵ２１との間を繋ぐ接続線を省略することができる。これにより、基板２においてメスコネクタ２３を設ける位置の自由度が増す。このため、ＵＨＦ処理回路２２と近接するようにメスコネクタ２３を設けやすい。また、メスコネクタ２３とＵＨＦ処理回路２２との間を接続する接続線２９の長さが短くなるので、伝送ロスが抑制される。これにより、外部アンテナ４で受信した信号がＵＨＦ処理回路２２において処理されやすい。
【００３２】
なお、内部アンテナ３とメスコネクタ２３との間には抵抗Ｒ３が介在されているので、この両者の間はハイインピーダンスとなる。従って、外部アンテナ４が受信した信号はメスコネクタ２３から内部アンテナ３に流れにくい。なお、抵抗Ｒ３に代えて、インダクタンスコイルやトロダイルコア（フェライトビーズ）を採用しても、同様の効果を得ることができる。
【００３３】
また、内部アンテナ３が受信した信号も外部アンテナ４に流れにくい。このため、内部アンテナ３及び外部アンテナ４が受信した信号は、合成器３０を介してＵＨＦ処理回路２２に流れる。また、電源２４から内部アンテナ３に流れる直流は、メスコネクタ２３及びオスコネクタ４２を介して外部アンテナ４に流れる。
【００３４】
以上詳述したように、本実施形態によれば、以下に示す効果が得られる。
（１）内部アンテナ３が印加回路の一部を構成するようにした。これにより、基板２において、メスコネクタ２３とＣＰＵ２１との間にＵＨＦ処理回路２２が位置する構成であっても、内部アンテナ３によってメスコネクタ２３とＣＰＵ２１との間を繋ぐことができる。これにより、基板２にＵＨＦ処理回路２２を迂回するようにメスコネクタ２３とＣＰＵ２１との間を繋ぐ配線を設ける必要がない。この配線が必要ない分、基板２の構成を簡素とすることができる。このため、メスコネクタ２３、ＵＨＦ処理回路２２、及びＣＰＵ２１の基板２における配設位置の自由度が増す。従って、メスコネクタ２３とＵＨＦ処理回路２２との間を繋ぐ接続線２８，２９を短くしやすい。これにより、接続線２８，２９による信号の伝送ロスが抑制される。さらに、外部アンテナ４の断線を検出することもできる。なお、内部アンテナ３及び外部アンテナ４の２つのアンテナでＵＨＦ帯の無線信号を受信することができるので、どちらか一方のアンテナしか備えない受信装置と比較して無線信号を受信しやすい。
【００３５】
（２）外部アンテナ４へ電圧を印加する印加回路を、第１の経路と、これに並列接続される第２の経路とによって構成した。第１の経路は、接続線２５、内部アンテナ３、接続線２７、メスコネクタ２３、及び外部アンテナ４を直列接続した構成した。第２の経路は、接続線２６、及びＣＰＵ２１を直列接続して構成した。なお、第１の接続線２５には抵抗Ｒ１を、第２の接続線２６には抵抗Ｒ２を、外部アンテナ４には抵抗Ｒ４をそれぞれ設けた。これにより、ＣＰＵ２１に印加される電圧は、外部アンテナ４に断線の有無に応じて異なる。このため、ＣＰＵ２１は、印加される電圧ＶＩＮを通じて外部アンテナ４の断線の有無を検出することができる。
【００３６】
（３）内部アンテナ３とメスコネクタ２３との間に抵抗Ｒ３を設けた。この抵抗Ｒ３を設けるという簡易な構成で内部アンテナ３とメスコネクタ２３との間をハイインピーダンスとすることができる。
【００３７】
（４）内部アンテナ３とＵＨＦ処理回路２２との間、及び外部アンテナ４とＵＨＦ処理回路２２との間に合成器３０を設けた。合成器３０は、内部アンテナ３で受信した信号と外部アンテナ４で受信した信号を合成する。これにより、内部アンテナ３及び外部アンテナ４のそれぞれで受信する信号の強度が弱くてもＵＨＦ処理回路２２には、合成器３０によって合成された信号が入力されので、ＵＨＦ処理回路２２は、信号を復調しやすい。
【００３８】
＜第２の実施形態＞
次に、受信装置の第２の実施形態を図面に従って説明する。なお、当該第２の実施形態と上述した第１の実施形態との主たる相違点は、電源、内部アンテナ、及び外部アンテナを繋ぐ接続線の繋ぎ方である。このため、第１の実施形態と同様の構成については、その説明を省略する。
【００３９】
＜受信装置の構成＞
図３に示す受信装置５０は、基板２と、内部アンテナ３と、外部アンテナ４と、を備えている。
【００４０】
基板２は、ＣＰＵ２１と、ＵＨＦ処理回路２２と、メスコネクタ２３と、電源２４と、接続線５１，５３，５４，５５，５６，５７，５８，５９と、合成器３０と、を備えている。
【００４１】
接続線５１は、抵抗Ｒ１１，Ｒ１２を備えている。接続線５１の抵抗Ｒ１１側の端部は電源２４に接続され、抵抗Ｒ１２側の端部は接地されている。なお、接続線５１が、第３の経路に相当する。
【００４２】
接続線５３は、抵抗Ｒ１３を備え、電源２４とメスコネクタ２３との間を接続する。なお、接続線５３と、メスコネクタ２３を介してこれに接続される外部アンテナ４が、第４の経路に相当する。
【００４３】
接続線５４は、支持線３３と合成器３０との間を接続する。
接続線５５は、抵抗Ｒ１５を備えている。接続線５５の一方の端部は支持線３３に、他方の端部は抵抗Ｒ１３よりも下流側の位置で接続線５３に、それぞれ接続されている。
【００４４】
接続線５６は、抵抗Ｒ１６を備えている。接続線５６の一方の端部は支持線３２に、他方の端部は抵抗Ｒ１１と抵抗Ｒ１２との間の位置で接続線５１に、それぞれ接続されている。なお、接続線５５，５６が、中間経路に相当する。
【００４５】
接続線５７は、抵抗Ｒ１３よりも下流側の位置における接続線５３と合成器３０との間を接続する。
接続線５８は、抵抗Ｒ１６よりも支持線３２側で接続線５６とＣＰＵ２１との間を接続する。
【００４６】
接続線５９は、抵抗Ｒ１６よりも接続線５１側で接続線５６とＣＰＵ２１との間を接続する。
すなわち、図４に示すように、電源２４から接地点までの間には、抵抗Ｒ１１，Ｒ１２，Ｒ１３，Ｒ４で構成されるホイートストンブリッジ回路が組まれている。このホイートストンブリッジ回路は、印加回路に相当する。また、ホイートストンブリッジ回路において抵抗の中間点には内部アンテナ３が位置している。なお、抵抗Ｒ１１，Ｒ１２，Ｒ１３，Ｒ４は、次の（式３）で示される関係が成り立つように、それぞれの抵抗値が設定されている。
【００４７】
Ｒ１１×Ｒ４＝Ｒ１２×Ｒ１３・・・（式３）
＜受信装置の作用＞
次に、受信装置５０の作用について説明する。なお、外部アンテナ４は、オスコネクタ４２とメスコネクタ２３との接続を通じて基板２に接続されているものとする。
【００４８】
図４に示すように、内部アンテナ３は、ホイートストンブリッジ回路において抵抗の中間点に位置している。また、抵抗Ｒ１１，Ｒ１２，Ｒ１３，Ｒ４の抵抗値は、上述の（式３）が成り立つように設定されている。すなわち、支持線３２と支持線３３との間に電位差が０（零）であるので、内部アンテナ３には電流が供給されない。このように、外部アンテナ４に断線がない通常時、内部アンテナ３には電流が供給されないので、電流が供給されることによるマイグレーションの発生が抑制される。
【００４９】
一方、外部アンテナ４が基板２から取り外されたり外部アンテナ４において断線が発生したりした場合には、抵抗Ｒ４には電流が供給されない。すなわち、（式３）において抵抗Ｒ４の抵抗値が変化する（見かけ上、無限大となる）ので、支持線３２と支持線３３との間に電位差が生じて、内部アンテナ３に電流が供給される。
【００５０】
以上詳述したように、本実施形態によれば、上記第１の実施形態の（１）及び（４）の効果に加えて、以下に示す効果が得られる。
（５）並列に設けられた第３の経路及び第４の経路と、これら第３の経路と第４の経路とを繋ぐ中間経路と、により構成されるホイートストンブリッジ回路の第４の経路に外部アンテナ４を、中間経路に内部アンテナ３を設けた。そして、第３の経路及び第４の経路に設けられる各抵抗Ｒ１１，Ｒ１２，Ｒ１３，Ｒ４を中間経路に電圧が印加されないように設定した。ＣＰＵ２１は、中間経路に設けられる抵抗Ｒ１６の電圧を検出するようにした。
【００５１】
この構成によれば、外部アンテナ４が断線していない場合、内部アンテナ３が設けられる中間経路には電流が流れない。一方、外部アンテナ４が断線している場合には、中間経路に電位差が生じて内部アンテナ３に電流が供給される。すなわち、ＣＰＵ２１は、中間経路に生じる電圧を通じて外部アンテナ４の断線の有無を検出することができる。
【００５２】
（６）また、外部アンテナ４が断線していない通常時、内部アンテナ３には電圧が印加されないので電流が流れない。これにより、内部アンテナ３におけるマイグレーションの発生が抑制される。ひいては、内部アンテナ３がＵＨＦ帯の無線信号を受信しにくくなることが抑制される。
【００５３】
なお、上記実施形態は、以下のように変更してもよい。
・上記各実施形態において、合成器３０に代えて、切り替えスイッチを採用してもよい。上記第１の実施形態において、合成器３０を切り替えスイッチに変更した場合について説明する。
【００５４】
図５に示すように、切り替えスイッチ６０は、接続線２８とＵＨＦ処理回路２２との間の接続と、接続線２９とＵＨＦ処理回路２２との間の接続と、をＵＨＦ処理回路２２からの切替信号に基づき切り替える。このように構成すれば、上記第１の実施形態の（１）の効果に加えて、ＵＨＦ処理回路２２は、受信した信号が内部アンテナ３で受信したものであるのか外部アンテナ４で受信したものであるのかを判定することができる。ひいては、受信した信号の送信元の方向や送信元の位置を推定することができる。なお、切り替えスイッチ６０は、定期的に切り替える構成であってもよい。また、切り替えスイッチ６０は、第２の実施形態においても適用することができる。
【００５５】
・上記各実施形態において、ＣＰＵ２１は、印加される電圧に基づいて外部アンテナ４における断線の有無を検出したが、電圧に代えて電流であってもよい。
・上記各実施形態において、図１及び図３に示すように、ＵＨＦ処理回路２２は、メスコネクタ２３とＣＰＵ２１との間に位置するように設けられたが、必ずしもこの位置関係を満たすように設けられなくてもよい。内部アンテナ３が印加回路の一部を構成することにより、基板２の配線の数を抑制することができる。
【００５６】
・上記各実施形態において、外部アンテナ４にオスコネクタ４２が、基板２にメスコネクタ２３が、それぞれ設けられたが、逆の関係であってもよい。また、外部アンテナ４と基板２との接続は、コネクタによる接続に限らない。
【００５７】
・上記各実施形態において、外部アンテナ４の断線とは、外部アンテナ４のオスコネクタ４２がメスコネクタ２３から外れることに限らず、外部アンテナ４の接続線４３が切断されているような状況も含まれる。
【００５８】
・上記各実施形態において、外部アンテナ４は、アンテナ本体４１とオスコネクタ４２とが直接接続された構成とされたが、この両者は、接続線によって接続された構成であってもよい。
【００５９】
・上記各実施形態において、内部アンテナ３、及び外部アンテナ４の形状は、適宜変更してもよい。
・上記各実施形態において、内部アンテナ３及び外部アンテナ４が受信する無線信号はＵＨＦ帯とされたが、他の帯域の無線信号を受信してもよい。この場合、復調部も、内部アンテナ３及び外部アンテナ４が受信する帯域の信号を復調するものに変更する。
【符号の説明】
【００６０】
１，４１…受信装置、２…基板、３…内部アンテナ、４…外部アンテナ、２１…ＣＰＵ（断線検知部）、２２…ＵＨＦ処理回路（復調部）、２３…メスコネクタ（接続部）、３０…合成器、６０…スイッチ。
【図１】
2015119398.tif 000003
【図２】
2015119398.tif 000004
【図３】
2015119398.tif 000005
【図４】
2015119398.tif 000006
【図５】
2015119398.tif 000007
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
基板に取り付けられて、無線信号を受信する内部アンテナと、
前記基板に設けられる接続部に取り付けられて、前記無線信号を受信する外部アンテナと、
前記基板に設けられて、前記内部アンテナ及び前記外部アンテナを通じて受信した前記無線信号を復調する復調部と、
前記基板に設けられて、前記接続部を介して前記外部アンテナへ電圧を印加する印加回路と、
前記基板に設けられて、前記印加回路に印加される電圧又は電流に基づいて前記外部アンテナにおける断線の有無を判断する断線検知部と、を備え、
前記内部アンテナは、前記印加回路の一部を構成する受信装置において、
前記印加回路は、第１の経路とこれに並列接続される第２の経路とを備え、
前記第１の経路は、前記内部アンテナ及び第１の抵抗が直列接続された回路と前記外部アンテナ及び第２の抵抗が直列接続された回路とが前記接続部を介して直列接続されるとともに、前記内部アンテナと前記接続部との間がハイインピーダンスとなるように構成され、
前記第２の経路は、前記断線検知部を備えて構成される受信装置。
【請求項２】
基板に取り付けられて、無線信号を受信する内部アンテナと、
前記基板に設けられる接続部に取り付けられて、前記無線信号を受信する外部アンテナと、
前記基板に設けられて、前記内部アンテナ及び前記外部アンテナを通じて受信した前記無線信号を復調する復調部と、
前記基板に設けられて、前記接続部を介して前記外部アンテナへ電圧を印加する印加回路と、
前記基板に設けられて、前記印加回路に印加される電圧又は電流に基づいて前記外部アンテナにおける断線の有無を判断する断線検知部と、を備え、
前記内部アンテナは、前記印加回路の一部を構成する受信装置において、
前記印加回路は、並列に設けられた第３の経路及び第４の経路と、これら第３の経路と第４の経路とを繋ぐ中間経路と、により構成され、前記第３の経路及び第４の経路に設けられる各抵抗が前記中間経路に電圧が印加されないように設定されたホイートストンブリッジ回路であって、
前記内部アンテナは前記中間経路に、前記外部アンテナは前記第３の経路及び第４の経路のどちらかにおける前記中間経路との接続点よりも下流側に、それぞれ設けられ、前記断線検知部は、前記中間経路に設けられる受信装置。
【請求項３】
請求項１に記載の受信装置において、
前記第１の経路は、前記内部アンテナと前記接続部との間に第３の抵抗が介在されてなる受信装置。
【請求項４】
請求項１〜３のうちいずれか一項に記載の受信装置において、
前記内部アンテナと前記復調部との間、及び前記外部アンテナと前記復調部との間に介在され、前記内部アンテナで受信した信号及び前記外部アンテナで受信した信号を合成する合成器を備える受信装置。
【請求項５】
請求項１〜３のうちいずれか一項に記載の受信装置において、
前記内部アンテナと前記復調部との間の接続と、前記外部アンテナと前記復調部との間の接続とを切り替えるスイッチを備える受信装置。
【手続補正２】
【補正対象書類名】明細書
【補正対象項目名】０００８
【補正方法】変更
【補正の内容】
【０００８】
上記課題を解決するために、基板に取り付けられて、無線信号を受信する内部アンテナと、前記基板に設けられる接続部に取り付けられて、前記無線信号を受信する外部アンテナと、前記基板に設けられて、前記内部アンテナ及び前記外部アンテナを通じて受信した前記信号を復調する復調部と、前記基板に設けられて、前記接続部を介して前記外部アンテナへ電圧を印加する印加回路と、前記基板に設けられて、前記印加回路に印加される電圧又は電流に基づいて前記外部アンテナにおける断線の有無を判断する断線検知部と、を備え、前記内部アンテナは、前記印加回路の一部を構成する受信装置において、前記印加回路は、第１の経路とこれに並列接続される第２の経路とを備え、前記第１の経路は、前記内部アンテナ及び第１の抵抗が直列接続された回路と前記外部アンテナ及び第２の抵抗が直列接続された回路とが前記接続部を介して直列接続されるとともに、前記内部アンテナと前記接続部との間がハイインピーダンスとなるように構成され、前記第２の経路は、前記断線検知部を備えて構成されることを要旨とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
また、この構成によれば、接続部と外部アンテナとが好適な接続状態、すなわち外部アンテナに断線がない場合であれば印加回路に電圧を印加すると内部アンテナと接続部との間はハイインピーダンスとされているので、外部アンテナが受信した信号は接続部から内部アンテナ側に流れにくく、電圧を印加したときに生じる直流は内部アンテナから接続部を介して外部アンテナ側に流すことができる。従って、断線検知部には、第１の抵抗と第２の抵抗との比に基づいた電圧が印加される。一方、外部アンテナに断線がある場合、第１の経路が閉じない。従って、第１の経路に印加される電圧が第２の経路に印加される分、断線検知部に印加される電圧が高くなる。このように、外部アンテナが断線している場合と断線していない場合とで、断線検知部に印加される電圧が異なるので、断線検知部は、印加される電圧を通じて外部アンテナの断線の有無を検出することができる。
【手続補正５】
【補正対象書類名】明細書
【補正対象項目名】００１２
【補正方法】変更
【補正の内容】
【００１２】
上記課題を解決するために、基板に取り付けられて、無線信号を受信する内部アンテナと、前記基板に設けられる接続部に取り付けられて、前記無線信号を受信する外部アンテナと、前記基板に設けられて、前記内部アンテナ及び前記外部アンテナを通じて受信した前記無線信号を復調する復調部と、前記基板に設けられて、前記接続部を介して前記外部アンテナへ電圧を印加する印加回路と、前記基板に設けられて、前記印加回路に印加される電圧又は電流に基づいて前記外部アンテナにおける断線の有無を判断する断線検知部と、を備え、前記内部アンテナは、前記印加回路の一部を構成する受信装置において、前記印加回路は、並列に設けられた第３の経路及び第４の経路と、これら第３の経路と第４の経路とを繋ぐ中間経路と、により構成され、前記第３の経路及び第４の経路に設けられる各抵抗が前記中間経路に電圧が印加されないように設定されたホイートストンブリッジ回路であって、前記内部アンテナは前記中間経路に、前記外部アンテナは前記第３の経路及び第４の経路のどちらかにおける前記中間経路との接続点よりも下流側に、それぞれ設けられ、前記断線検知部は、前記中間経路に設けられることを要旨とする。